(57)【要約】【課題】水の変質を防止でき、嵩張らず保管場所を容易に確保でき、折り畳むことで回収や廃棄を容易にできる水入り容器を提供する。【解決手段】水入り容器１は、飲料水が入ったパウチ２と、このパウチ２に固定したスパウト３とを備えている。パウチ２は、少なくともガスバリヤ性、遮光性および耐熱性を有する柔軟なシート状部材10によって袋状に形成したものである。スパウト３は、少なくともガスバリヤ性を有する素材によって形成したものである。【選択図】図１
0003178287.tif 000002
【実用新案登録請求の範囲】
【請求項１】
無菌化された水が充填されているスパウト付きパウチ型の水入り容器であって、
無菌化された水が充填されているパウチと、
このパウチに取り付けられたスパウトとを備え、
前記パウチは、少なくともガスバリヤ性、遮光性および耐熱性を有する柔軟なシート状部材によって袋状に形成されている
ことを特徴とする水入り容器。
【請求項２】
スパウトは、少なくともガスバリヤ性を有する素材によって形成されている
ことを特徴とする請求項１記載の水入り容器。
【請求項３】
スパウトは、
パウチに取り付けられた筒状部と、
この筒状部に取り外し可能に装着されたキャップ部とを有し、
前記筒状部および前記キャップ部が、少なくともガスバリヤ性を有する同じ素材によって形成されている
ことを特徴とする請求項２記載の水入り容器。
【請求項４】
無菌化された３００〜５００ｍｌの水がパウチ内に充填されている
ことを特徴とする請求項１ないし３のいずれか一記載の水入り容器。
【請求項５】
パウチ内の水の賞味期限が常温で２〜１０年である
ことを特徴とする請求項１ないし４のいずれか一記載の水入り容器。
【考案の詳細な説明】
【技術分野】
【０００１】
本考案は、無菌化された水が充填されているスパウト付きパウチ型の水入り容器に関する。
【背景技術】
【０００２】
例えば地震、台風、津波、渇水等の災害対策用や新型ウイルス対策の非常用の緊急時に何よりも必要になるのが飲料水等の水である。このため、例えば備蓄用の水としては、長期的な保存に耐えかつ携帯に便利なことが求められ、従来から例えば特許文献１に記載されたようなペットボトルに飲料水が入れられたものがある。通常、このようなペットボトルに入れられた飲料水の賞味期限は、常温で２〜５年程度である。
【先行技術文献】
【特許文献】
【０００３】
【特許文献１】特開２００９−１２０２０３号公報（図１）
【考案の概要】
【考案が解決しようとする課題】
【０００４】
しかしながら、上記従来からある水入りペットボトルの場合には、次のような問題がある。
【０００５】
まず、ペットボトルの容器部の材質はＰＥＴ（ポリエチレンテレフタラート、酸素透過率は９５〜１３０ｍｌ／ｍ2・２４ｈ・ａｔｍ）で、ペットボトルのキャップ部の材質はＰＥ（ポリエチレン、酸素透過率は２９００ｍｌ／ｍ2・２４ｈ・ａｔｍ）であるため、酸素等の気体がペットボトル内に浸入して水が変質するおそれがあり、しかも、ペットボトルの容器部は、遮光性を有していないため、保管場所によっては、太陽光等の光が当たって水が変質するおそれもあり、また例えば酸素等の気体や香り、臭いがペットボトル内の水に移り、常温で２〜５年という賞味期限を確保できない可能性もある。
【０００６】
また、水入りペットボトルは、変形し難いため、多くを備蓄する際には嵩張り、保管場所の確保が困難となるおそれがあり、さらに例えば飲み干した空容器の回収や廃棄に手間取るおそれもある。
【０００７】
本考案は、このような点に鑑みなされたもので、酸素等の気体や太陽光等の光によって水が変質してしまうことを防止でき、また、多くを備蓄する際に嵩張らず、保管場所を容易に確保でき、さらに、水がなくなった後の空容器を折り畳むことでその回収や廃棄を容易に行うことができる水入り容器を提供することを目的とする。
【課題を解決するための手段】
【０００８】
請求項１記載の水入り容器は、無菌化された水が充填されているスパウト付きパウチ型の水入り容器であって、無菌化された水が充填されているパウチと、このパウチに取り付けられたスパウトとを備え、前記パウチは、少なくともガスバリヤ性、遮光性および耐熱性を有する柔軟なシート状部材によって袋状に形成されているものである。
【０００９】
請求項２記載の水入り容器は、請求項１記載の水入り容器において、スパウトは、少なくともガスバリヤ性を有する素材によって形成されているものである。
【００１０】
請求項３記載の水入り容器は、請求項２記載の水入り容器において、スパウトは、パウチに取り付けられた筒状部と、この筒状部に取り外し可能に装着されたキャップ部とを有し、前記筒状部および前記キャップ部が、少なくともガスバリヤ性を有する同じ素材によって形成されているものである。
【００１１】
請求項４記載の水入り容器は、請求項１ないし３のいずれか一記載の水入り容器において、無菌化された３００〜５００ｍｌの水がパウチ内に充填されているものである。
【００１２】
請求項５記載の水入り容器は、請求項１ないし４のいずれか一記載の水入り容器において、パウチ内の水の賞味期限が常温で２〜１０年であるものである。
【考案の効果】
【００１３】
本考案によれば、酸素等の気体や太陽光等の光によって水が変質してしまうことを防止でき、また、多くを備蓄する際に嵩張らず、保管場所を容易に確保でき、さらに、水がなくなった後の空容器を折り畳むことでその回収や廃棄を容易に行うことができる。
【図面の簡単な説明】
【００１４】
【図１】本考案の第１の実施の形態に係る水入り容器の斜視図である。
【図２】本考案の第２の実施の形態に係る水入り容器の正面図である。
【図３】本考案の第３の実施の形態に係る水入り容器の正面図である。
【図４】本考案の第４の実施の形態に係る水入り容器の正面図である。
【考案を実施するための形態】
【００１５】
本考案の第１の実施の形態を図１を参照して説明する。
【００１６】
図１において、１はスパウト付きパウチ型の水入り容器（水入りパウチ）で、この水入り容器１は、例えば災害等に備えた備蓄用として用いられるものである。
【００１７】
そして、この水入り容器１内には、無菌化された水である飲料水が充填されており、この飲料水の賞味期限は常温で２〜１０年、好ましくは５〜１０年である。なお、水入り容器１内の飲料水の量は、例えば３００〜５００ｍｌである。
【００１８】
水入り容器１は、例えば正面視で矩形状をなす底ガゼットタイプのもので、図１に示されるように、無菌化された３００〜５００ｍｌの飲料水（水）が充填されている袋状のパウチ２と、このパウチ２の上部に固定的に取り付けられパウチ２内の飲料水をパウチ２外に出すための筒状のスパウト３とを備えている。
【００１９】
また、スパウト３は、パウチ２の上部に固着され先端側（上端側）がパウチ２外に位置し基端側（下端側）がパウチ２内に位置する両端面開口状の筒状部５と、この筒状部５の先端側に取り外し可能に装着され筒状部５の先端面開口（図示せず）を閉塞したキャップ部６とを有している。
【００２０】
そして、パウチ２は、少なくともガスバリヤ性、遮光性および耐熱性を有する柔軟なシート状部材10によって袋状に形成されている。また、スパウト３は、少なくともガスバリヤ性を有する素材によって形成されている。すなわち、筒状部５およびキャップ部６が、少なくともガスバリヤ性を有する同じ素材（材質）によって形成されている。
【００２１】
ここで、容器本体部であるパウチ２は、可撓性のある柔軟なシート状部材10にて構成されており、このシート状部材10は、例えばアルミニウム箔層を中間に含んだ積層フィルムからなるものである。すなわち、このパウチ２は、アルミニウム箔層により完全なガスバリヤ性（酸素透過率がゼロの状態）を有するものである。換言すると、このパウチ２は、気体透過性のないものであり、例えば酸素等の気体の通過を確実に遮断する。
【００２２】
なお、このパウチ２を構成する積層フィルムは、例えばＰＥＴ（ポリエチレンテレフタラート）、Ａｌ（アルミニウム）、Ｎｙｌｏｎ（ナイロン）およびＬＬＰＥ（直鎖状低密度ポリエチレン）からなる４層フィルムや、ＰＥＴ、Ａｌ、ＮｙｌｏｎおよびＣＰＰ（無延伸ポリプロピレン）からなる４層フィルム等である。
【００２３】
シート状部材10は、前面シート11、後面シート12および左右の側面シート13を有し、これらの各シート11，12，13における所定の端部同士がヒートシールによって接着されている。なお、前面シート11の上端部の左右方向中央部と後面シート12の上端部の左右方向中央部とによってスパウト３の筒状部５の所定部分が挟持され、この筒状部５は前後の両シート11，12に対して固定されている。
【００２４】
そして、シート状部材10によって袋状に形成されたパウチ２内には、無菌化された飲料水が密閉状態に充填されている。このパウチ２内の飲料水は、次の第１〜第３のうちのいずれかの方法によって無菌化されたものである。
【００２５】
第１の方法は、原水をろ過後、加熱殺菌（例えば１２５℃×３０秒、または８５〜９０℃×３０分）した水を筒状部５からパウチ２内にホット充填（例えば９０℃で充填）し、その後、筒状部５にキャップ部６を装着（スパウトをキャッピング）する方法である。なおこの場合、スパウト３は、ホット充填に耐えうる耐熱性を有する必要がある。
【００２６】
第２の方法は、原水を無菌ろ過後、この無菌ろ過した水を筒状部５からパウチ２内に常温で無菌充填し、その後、筒状部５にキャップ部６を装着する方法である。
【００２７】
第３の方法は、原水をろ過後、このろ過した水を筒状部５からパウチ２内に常温で充填し、その後、筒状部５にキャップ部６を装着してから、加熱殺菌（例えば８５〜９０℃×３０分の低温殺菌、または例えば１２０℃×４分の高温殺菌）する方法である。なおこの場合、スパウト３は、加熱殺菌に耐えうる耐熱性を有する必要がある。
【００２８】
なお、後述する三方平袋タイプの場合は、予めキャップ部６を筒状部５に装着しておき、原水をろ過後、このろ過した水を開口した底部側からパウチ２内に常温で充填し、その後、パウチ２の底部をヒートシールにより密閉してから、加熱殺菌（低温殺菌または高温殺菌）する方法もある。
【００２９】
また、無菌化前の原水としては、例えば日本各地にある水道法適合の名水や、水道水等を使用する。
【００３０】
水飲み口部であるスパウト３は、パウチ２にヒートシールによって融着固定された筒状部５と、この筒状部５に先端側外周に脱着可能に螺着されこの筒状部５の先端面開口を開閉するキャップ部６とにて構成されている。
【００３１】
すなわち、このスパウト３は、２つの部材（筒状部５、キャップ部６）によって構成されているが、これら２つの部材は、いずれも同じ素材からなり、酸素等の気体の通過を遮断するガスバリヤ性を有している。これら筒状部５およびキャップ部６は、少なくともガスバリヤ性がある材質、すなわち例えばＥＶＯＨ樹脂（エチレン・ビニルアルコール共重合体）をＰＰ（ポリプロピレン）で挟持した素材によって所定形状に形成されている。
【００３２】
筒状部５は、パウチ２外に位置する第１円筒部16と、この第１円筒部16の下端部に一体に連設されパウチ２内に位置する第２円筒部17とを有している。第１円筒部16の下部外周面には複数の円環状の鍔部18が一体に突設され、第１円筒部16の上部外周面にはねじ溝（図示せず）が形成されている。
【００３３】
そして、第１円筒部16の外周側のねじ溝にキャップ部６の内周側のねじ溝が螺合され、このキャップ部６によって筒状部５の先端面開口（上面開口）が閉塞されている。キャップ部６を筒状部５の第１円筒部16から取り外すと、筒状部５の先端面開口が開口する。筒状部５の基端面開口（下端開口）は、パウチ２内で常時開口している。なお、筒状部５の外径寸法は、例えば９ｍｍである。第２円筒部17の長さ寸法は、例えば５０ｍｍである。
【００３４】
次に、上記水入り容器１の作用効果等を説明する。
【００３５】
例えば災害等に備えて、多くの水入り容器１を購入し、所定の保管場所にまとめて保管しておく。
【００３６】
そして、災害等が発生した場合において、水入り容器１のパウチ２内に充填されている飲料水を飲むときには、まず、スパウト３のキャップ部６を回して筒状部５から取り外し、筒状部５の先端面開口（抽出口）を開口させる。
【００３７】
その後、筒状部５の先端側を口にくわえ、パウチ２を押圧すると、パウチ２内の飲料水が筒状部５内を通って口の中に流れ込む。こうして、スパウト３を利用して、パウチ２内の飲料水を容易に飲むことが可能である。
【００３８】
なお、パウチ２内の飲料水を飲み干して空になった空容器は、例えばパウチ２を折り畳んで小さくした状態で、回収や廃棄を行えばよい。
【００３９】
そして、水入り容器１によれば、パウチ２が少なくともガスバリヤ性、遮光性および耐熱性を有する柔軟なシート状部材10によって袋状に形成され、かつ、スパウト３の筒状部５およびキャップ部６が少なくともガスバリヤ性を有する同じ素材によって形成されているため、例えば酸素等の気体や太陽光等の光によって水が変質（香りや味の変化等）してしまうことを適切に防止できる。よって例えば、常温での飲料水の賞味期限（２〜１０年）を適切に確保でき、災害等ための備蓄用の水として長期にわたって適切に保存できる。
【００４０】
また、パウチ２が柔軟なシート状部材10からなり、その形状がフレキシブルであるため、水入り容器１を多く備蓄する際にも嵩張らず、多くの水入り容器１の保管場所を容易に確保できる。
【００４１】
さらに、飲料水がなくなった後の空容器を折り畳むことでその回収や廃棄を容易に行うことができ、それに伴う手間やコスト等を低減できる。
【００４２】
なお、上記第１の実施の形態では、底ガゼットタイプの水入り容器１について説明したが、他の形状であってもよい。すなわち、例えば図２に示す三方平袋タイプのもの（第２の実施の形態）、図３に示す底面シート14を有する自立可能なタイプのもの（第３の実施の形態）、図４に示すスパウト３が斜めに取り付けられ底面シート14を有する自立可能なタイプのもの（第４の実施の形態）等でもよい。
【００４３】
また、いずれの実施の形態においても、例えばスパウト３が、パウチ２と同様、ガスバリヤ性、遮光性および耐熱性を有するようにしてもよい。
【００４４】
さらに、パウチ２内に充填する水は、飲料水には限定されず、飲料水以外でもよい。
【００４５】
また、スパウト３のキャップ部６は、例えば筒状部５から取り外した後、筒状部５に再度装着できないものでもよい。
【００４６】
さらに、スパウト３の筒状部５の第２円筒部17の長さ寸法は、５０ｍｍには限定されず、任意であり、例えば０〜５０ｍｍが好ましい。
【００４７】
また、スパウト３は、ガスバリヤ性を有する素材で形成してバリヤスパウトとすることが好ましいが、必ずしもガスバリヤ性を有する必要はなく、例えば高密度ポリエチレン等で形成したものであってもよい。
【符号の説明】
【００４８】
１    水入り容器
２    パウチ
３    スパウト
５    筒状部
６    キャップ部
10    シート状部材
【図１】
0003178287.tif 000003
【図２】
0003178287.tif 000004
【図３】
0003178287.tif 000005
【図４】
0003178287.tif 000006